(57)【要約】【課題】組電池を構成する複数の電池ブロックを個別あるいは一度に複数の電池ブロックを同時に充電や放電を行う充放電装置を安価に提供する。【解決手段】充放電装置１０は、組電池２０を構成する直列接続された電池ブロックＢ群の両端および電池ブロック間の接続点にそれぞれ一本ずつ接続される導線Ｌ群と、互いに直列接続されるとともに導線Ｌを介して電池ブロックＢに並列接続され、電池ブロックＢの放電を行う電池ブロックごとに設けられた放電回路群１２と、互いに直列接続されるとともに導線Ｌを介して放電回路Ｄおよび電池ブロックＢに並列接続され、電池ブロックＢの充電を行う電池ブロックごとに設けられた充電回路群１４と、放電回路群１２の中から少なくとも１つ、あるいは充電回路群１４の中から少なくとも１つ選択された放電回路Ｄもしくは充電回路Ｃに対して放電あるいは充電を指示する充放電制御部１６とを備える。【選択図】図１
2008199798.tif 000002
【特許請求の範囲】
【請求項１】
組電池を構成する直列接続された電池ブロック群の両端および電池ブロック間の接続点にそれぞれ一本ずつ接続される導線群と、
互いに直列接続されるとともに前記電池ブロックに前記導線を介して並列接続され、前記電池ブロックの放電を行う電池ブロックごとに設けられた放電回路群と、
互いに直列接続されるとともに前記電池ブロックおよび前記放電回路に前記導線を介して並列接続され、前記電池ブロックの充電を行う電池ブロックごとに設けられた充電回路群と、
放電回路群の中から少なくとも１つ、あるいは充電回路群の中から少なくとも１つ選択された放電回路もしくは充電回路に対して放電あるいは充電を指示する充放電制御部と、
を備える充放電装置。
【発明の詳細な説明】
【技術分野】
【０００１】
本発明は、組電池の充電および放電を行う充放電装置に関する。
【背景技術】
【０００２】
従来より、個々の電池を個別に充電したり、放電したりする装置が提案されている。
【０００３】
特許文献１には、複数の電池を個別に充電するための充電用電源および個別に放電するための放電用負荷をそれぞれ１つずつ設け、スイッチにより充電あるいは放電対象の電池を切り替える充放電装置が開示されている。
【０００４】
特許文献２には、装着された電池の残容量を検出する残容量検出部と、残容量検出部で検出された残容量を表示する残容量表示部と、複数の電池を並列接続して同時に充電する充電電源部と、を備え、電池の残容量を検出した後、そのまま充電できる充電器が開示されている。
【０００５】
特許文献３には、組電池を構成する複数の電池ブロックに対して、電池ブロック単位に電圧を検出する装置が開示されている。
【０００６】
【特許文献１】特開平６−２０５５４０号公報
【特許文献２】特開２００５−１５１７４０号公報
【特許文献３】特開２００２−１５７８１号公報
【発明の開示】
【発明が解決しようとする課題】
【０００７】
ところで、組電池を構成する複数の電池ブロックを個別に充電するための充電回路および個別に放電するための放電回路をそれぞれ１つ設けた充放電装置では、一度に複数の電池ブロックに対して充電や放電を行うことができない。また、電池ブロックごとに充電回路および放電回路を独立して設けると、部品点数が増加し、コストの増加を招く。
【０００８】
本発明は、組電池を構成する複数の電池ブロックを個別かつ同時に複数の電池ブロックに対して充電や放電を行う充放電装置を安価に提供することを目的とする。
【課題を解決するための手段】
【０００９】
本発明に係る充放電装置は、組電池を構成する直列接続された電池ブロック群の両端および電池ブロック間の接続点にそれぞれ一本ずつ接続される導線群と、互いに直列接続されるとともに前記導線を介して前記電池ブロックに並列接続され、前記電池ブロックの放電を行う電池ブロックごとに設けられた放電回路群と、互いに直列接続されるとともに前記導線を介して前記電池ブロックおよび放電回路に並列接続され、前記電池ブロックの充電を行う電池ブロックごとに設けられた充電回路群と、放電回路群の中から少なくとも１つ、あるいは充電回路群の中から少なくとも１つ選択された放電回路もしくは充電回路に対して放電あるいは充電を指示する充放電制御部と、を備えることを特徴とする。
【発明の効果】
【００１０】
本発明によれば、各放電回路および各充電回路をそれぞれ直列接続するとともに、充電回路と放電回路とを並列接続することで、電池ブロックとの接続に必要な導線の本数を削減することができる。よって、組電池を構成する複数の電池ブロックを個別かつ同時に複数の電池ブロックに対して充電や放電を行う充放電装置を安価に提供することができる。
【発明を実施するための最良の形態】
【００１１】
本発明を実施するための最良の形態を具体的に示す実施形態について、以下図面を用いて説明する。
【００１２】
図１は、本実施形態に係る充放電装置１０と充放電の対象となる組電池２０との接続構成を示す図である。
【００１３】
図１において、組電池２０は、ｎ個の電池ブロックＢ１〜Ｂｎを直列に接続して構成される。電池ブロックはそれぞれ、２個の電池モジュールを電気的に直列接続して構成されており、更に、各電池モジュールは、６個の単電池を電気的に直列に接続して構成されている。各単電池としては、ニッケル水素電池やリチウムイオン電池等を用いることができる。なお、電池ブロック、電池モジュール、単電池の数は特に限定されるものではない。組電池の構成も上記した例に限定されるものではない。
【００１４】
電池ブロックＢの各端子には、それぞれ一本ずつ導線Ｌが接続される。さらに、電池ブロックＢの各端子には、導線Ｌを介して放電回路Ｄと充電回路Ｃとが並列接続される。各放電回路Ｄは互いに直列接続され放電回路群１２を構成する。充電回路Ｃも互いに直列接続され充電回路群１４を構成する。導線Ｌには電池ブロックＢを放電回路Ｄおよび充電回路Ｃと電気的に遮断するための遮断スイッチＳＷａが設けられている。
【００１５】
放電回路Ｄには、スイッチＳＷｄと、定電流回路を備える負荷部とが設けられ、スイッチＳＷｄをオンすることで、放電回路Ｄに並列接続された電池ブロックＢに対して定電流での放電が行われる。
【００１６】
充電回路Ｃには、スイッチＳＷｃと電源部とが設けられ、スイッチＳｗｃをオンすることで、充電回路Ｃに並列接続された電池ブロックＢの充電が行われる。
【００１７】
充放電制御部１６は、導線Ｌに設けられたスイッチＳｗａ、放電回路Ｄに設けられたスイッチＳＷｄ、充電回路Ｃに設けられたスイッチＳＷｃのオンオフを制御することで、所定の電池ブロックの放電あるいは充電を行う。
【００１８】
例えば、電池ブロックＢ１を放電する場合には、充放電制御部１６は、スイッチＳＷａ１、ＳＷａ２、ＳＷｄ１をそれぞれオンすればよい。また、電池ブロックＢ２を充電する場合には、充放電制御部１６は、スイッチＳＷａ２、ＳＷａ３、ＳＷｃ２をオンすればよい。
【００１９】
上記のように、各放電回路Ｄおよび各充電回路Ｃをそれぞれ直列接続するとともに、充電回路Ｃと放電回路Ｄとを並列接続することで、電池ブロックＢとの接続に必要な導線Ｌ（ワイヤーハーネス）の本数を削減することができる。
【００２０】
また、各電池ブロックＢに対してそれぞれ個別に放電回路Ｄおよび充電回路Ｃが設けられているため、複数の電池ブロックＢを個別かつ同時に充電あるいは放電することができる。例えば、充放電制御部１６は、スイッチＳＷａ１、ＳＷａ２、ＳＷａ３、ＳＷａ４、ＳＷｄ１、ＳＷｄ３をオンすることで、電池ブロックＢ１と電池ブロックＢ３とを個別かつ同時に放電することができる。よって、複数の電池ブロックＢを充電あるいは放電する時間を短縮することができる。さらに、周辺温度変化の影響によるばらつきが低減し、電池ブロック間の性能の差が明確になる。また、リチウムイオン電池により構成された組電池の場合、組電池全体を定電圧で充電すると、一部の電池ブロックが過充電に陥るおそれがある。しかし、本実施形態では、各電池ブロックＢを個別に充電制御することができるため、一部の電池ブロックが過充電に陥るおそれが低減することができる。
【００２１】
なお、複数の電池ブロックＢを個別かつ同時に充電あるいは放電する場合には、回路構成上、充電あるいは放電対象となる電池ブロック間には、少なくとも１つの他の電池ブロックが接続されている必要がある。例えば、電池ブロックＢ１と電池ブロックＢ２との間には他の電池ブロックが接続されていないため、個別かつ同時に充電あるいは放電することはできない。
【００２２】
さらに、電池ブロックＢに対して放電回路Ｄと充電回路Ｃとが並列接続されているため、１つの電池ブロックＢに対して連続して放電と充電を行うことができる。また、組電池２０の中で、放電を行う電池ブロックＢと充電を行う電池ブロックＢを同時に設定することができる。
【００２３】
また、各スイッチのオンオフのタイミングを示したテーブルを予め作成してメモリに登録しておき、充放電制御部１６がそのメモリに登録されたテーブルを参照して、スイッチ制御を行ってもよい。テーブルは、例えば図２に示すように、所定の周期ごとに各スイッチのオンオフの状態を示しておけばよい。図２では、「１」がオン状態、「０」がオフ状態を示す。充放電制御部１６は、所定の周期ごとに図２に示すようなテーブルを参照して各スイッチのオンオフを制御する。このように、本実施形態によれば、各電池ブロックＢに対してそれぞれ個別に放電回路Ｄおよび充電回路Ｃが設けられており、スイッチのオンオフを制御することで、任意の電池ブロックＢに対して適宜充電や放電を行うことができる。
【図面の簡単な説明】
【００２４】
【図１】本実施形態に係る充放電装置の回路構成を示す図である。
【図２】充電制御部が各スイッチのオンオフを制御する際に参照するテーブルの一例を示す図である。
【符号の説明】
【００２５】
１０  充放電装置、１２  放電回路群、１３  負荷部、１４  充電回路群、１６  充放電制御部、２０  組電池。
【図１】
2008199798.tif 000003
【図２】
2008199798.tif 000004